(57)【特許請求の範囲】
【請求項１】
２本の転換リンクによって背当フレームを基台に対して方向転換可能に連結するとともに、両転換リンクの上端に連結した枕傾斜リンクの上端を、前記背当フレームの上部に傾動可能に設けた枕フレーム側に連結して、前記背当フレームの方向転換に応じて枕の角度が自動的に一定となるようにした転換座席において、
前記転換リンクの上端部と、前記枕傾斜リンクの下端とをターンバックルによって連結して、これらのターンバックルの回転操作によって、各転換リンクや枕傾斜リンクの残留ひずみや使用による延びを原因とする寸法誤差の吸収と、枕角の調整とを行えるようにしたことを特徴とする転換座席。
【発明の詳細な説明】
【０００１】
【産業上の利用分野】
本発明は、列車等の乗物において使用される転換座席に関し、特に、背当の上部に設けた「枕」の角度を、背当フレームの方向転換に応じて自動的に調整できるようにした転換座席に関するものである。
【０００２】
【従来の技術】
列車等の乗物では、乗客が列車の進行方向に向かって、あるいは他の乗客と対面して着座できるようにするために、その背当の方向を転換できるようにした、所謂「転換座席」が普通に用いられている。この座席転換は、大きく分けて、座席全体を水平方向に回転させることにより行う場合と、背当の倒し方向を変えることにより行う場合との２通りあり、構造的に簡素化できることから、後者の背当の方向を変えるものが多く採用されてきている。
【０００３】
また、この種の転換座席においては、背当の上端に「枕」と呼ばれる頭部保持部分を設けることもなされている。この「枕」は、後方に傾斜させた背当ての上端に設けられるものであるが、この「枕」は、なるべく垂直状態に立っていた方が、安楽姿勢を採る上で有利である。その意味で、この「枕」は、背当の方向が変換された場合にも、その角度を自動的に調整できるようにするために、種々なものが提案されてきている。
【０００４】
この枕の角度を自動的に調整しながら背当の倒し方向を変えることのできる転換座席としては、例えば特公昭４７−２８２２８号公報にて提案されているようなものがある。この公報に記載されている「回転まくら付転換シート」は、「平行リンクを構成する転換レバーにより背ずりの転換を行うシートにおいて、背ずり上部に回動可能にまくら部を取付けると共に、上記転換レバーの回転時の動きをまくら部に伝え該まくら部の傾斜角度を背ずりに対して所定角度に規制する連結材を前記転換レバーとまくら部間に設けた」ものであり、まくら部の傾斜角度を所定角度に規制することができて便利なものではあるが、次のような改善しなければならない点を含んでいる。
【０００５】
すなわち、この種の転換座席において採用されているまくら部や背当のフレーム、その連結部材等は金属製のものが多く、これによって、不特定多数の人が長年安全に使用するものとしての品質の確保が図られているものである。そうなると、例えば背当フレームだけをとってみても、その形成は溶接を駆使して行わなければならないものであり、このような背当フレームに対するまくら部の傾動可能な連結を行うための各部材についても、寸法誤差は当然として、溶接によるひずみの残留もあることになる。
【０００６】
従って、上記特公昭４７−２８２２８号にて提案されているように、まくら部と背ずりとの間を「連結材」によって連結しようとする場合にその取付位置調整が各座席毎に必要となるのであり、まして「連結材」が「２本の等長の綱状材」であれば、その使用による綱状材の伸びの調整も定期的に行わなければならず、これらの調整作業は事実上非常に面倒なものとなっていたのである。
【０００７】
そこで、本発明者等は、この種の転換座席における枕角の調整を、その製造時は勿論、設置後のメンテナンス時においても簡単に行えるようにするにはどうしたらよいか、について種々検討を重ねてきた結果、本発明を完成したのである。
【０００８】
【発明が解決しようとする課題】
本発明は、以上のような経緯に基づいてなされたもので、その解決しようとする課題は、枕フレームや背当フレーム等に寸法的誤差があっても、枕角を常に簡単に調整することができて、しかもメンテナンス時の枕角の調整をも簡単に行うことのできる転換座席を簡単な構成によって提供することにある。
【０００９】
【課題を解決するための手段】
以上の課題を解決するために、本発明の採った手段は、後述の実施の形態中において使用する符号を付して説明すると、
「２本の転換リンク２１・２１によって背当フレーム４０を基台１０に対して方向転換可能に連結するとともに、両転換リンク２１・２１の上端に連結した枕傾斜リンク２４・２４の上端を、背当フレーム４０の上部に傾動可能に設けた枕フレーム３０側に連結して、背当フレーム４０の方向転換に応じて枕の角度が自動的に一定となるようにした転換座席１００において、
転換リンク２１・２１の上端部と、枕傾斜リンク２４・２４の下端とをターンバックル５０・５０によって連結して、これらのターンバックル５０・５０の回転操作によって、各転換リンク２１・２１や枕傾斜リンク２４・２４の残留ひずみや使用による延びを原因とする寸法誤差の吸収と、枕角の調整とを行えるようにしたことを特徴とする転換座席１００」
である。
【００１０】
すなわち、本発明に係る転換座席１００では、背当フレーム４０を基台１０に対して転換可能に支持している各転換リンク２１の上端部と、これら各転換リンク２１の動きを枕フレーム３０側に伝達する各枕傾斜リンク２４の下端部とを、ターンバックル５０によって連結したものであり、これら各ターンバックル５０を回転させることにより、各枕傾斜リンク２４の転換リンク２１に対する連結長さの微調整を簡単に行えるようにしたものである。
【００１１】
従って、この転換座席１００によれば、枕フレーム３０や背当フレーム４０に製造上の誤差が生じていたとしても、各ターンバックル５０を回転させることにより簡単に調整が行えるのであり、当該転換座席１００のメンテナンス時における微調整も、各ターンバックル５０を回転させることにより簡単に行えるのである。
【００１２】
より具体的には、枕フレーム３０は、図１にも示すように、背当フレーム４０を傾斜させたときにも略まっすぐ立つように使用されるものであるが、もし、枕傾斜リンク２４側に長さ調整機能がないとすると、枕フレーム３０に対するリンク連結部３１の取付け状態や、転換リンク２１に対する連結部２２やネジ部材２３の取付け状態に誤差があった場合には、枕フレーム３０を図１に示したようなまっすぐ状態に保持できないことになる。ところが、本発明の転換座席１００では、各ターンバックル５０を正転または逆転させることにより、上記調整が簡単に行えるのであり、製造は勿論、メンテナンスも簡単に行えるのである。
【００１３】
勿論、この枕フレーム３０は、図１に図示したようなまっすぐ立った状態になされるだけでなく、図示した状態から少し後方に傾斜させることもあるが、その場合の調整も、各ターンバックル５０を正転または逆転させることにより簡単に行えるのである。
【００１４】
【発明の実施の形態】
次に、上記のように構成した本発明を、図面に示した実施の形態に従って説明すると、図１及び図２には、本発明に係る転換座席１００の概略構成が示してある。この実施形態の転換座席１００は、乗物の床面上に固定される支持台１１上に基台１０を取付けて、この基台１０に転換連動機構２０を利用して背当フレーム４０を転換自在に組付けるようにしたものであり、背当フレーム４０は、図１に示した状態から左方に倒すことにより、その方向が転換されるものである。
【００１５】
なお、この基台１０の中央には、図１に示したように、傾斜台１４が取付けてあり、この傾斜台１４の上端に、座布団６０側の載置溝６１を係合させることにより、座布団６０の傾斜角度を背当フレーム４０の転換に応じて変化させることができるようにしてある。勿論、これから説明する背当フレーム４０及び枕フレーム３０については、クッション材や表装材が取付けられるものであり、図１及び図２では、その骨組だけを示しているものである。
【００１６】
転換連動機構２０は、背当フレーム４０の基台１０に対する転換自在な組付けを行う２本の転換リンク２１と、これら各転換リンク２１の上端部と枕フレーム３０側との間に配置される２本の枕傾斜リンク２４とを備えているものであり、これらはターンバックル５０を介して次のように組立てられている。
【００１７】
まず、各転換リンク２１であるが、その下端は、図１に示したように、基台１０側の連結軸１２によって基台１０に対して傾動自在に連結してあり、上端は背当フレーム連結軸２６によって背当フレーム４０の下端部に回動自在に連結してある。勿論、各転換リンク２１の略中央部には、図１に示したように当接部２５が一体的に形成してあって、この当接部２５が基台１０側のストッパ１３に当接することにより、当該転換リンク２１のそれ以上の傾動が規制されるようになっている。
【００１８】
これら各転換リンク２１の上端部には、連結部２２が一体的に設けてあって、この連結部２２にはネジ部材２３が回転自在に連結してある。連結部２２は、ネジ部材２３の取付け位置を、転換リンク２１の両端連結軸の軸芯を結ぶ線からズラすものであり、これによって枕フレーム３０の回動を確実に行えるようにしたものである。また、連結部２２に取付けた各ネジ部材２３の上端側には、文字通りのネジ部が形成してあるが、このネジ部材２３側のネジ部は、各ターンバックル５０による調整と取付けが行えるようにするために、枕傾斜リンク２４のネジ部とは逆のネジが形成してある。
【００１９】
各枕傾斜リンク２４は、その下端部に、ネジ部材２３側のネジ部とは逆のネジが切ってあるものであり、その上端は、枕フレーム３０側のリンク連結部３１に傾動自在に連結してある。枕フレーム３０は、図２にも示したように、背当フレーム４０の上端側に取付けられるものであり、その下端両側には、図１に示したような形状のリンク連結部３１が一体的に取付けてあって、このリンク連結部３１に前述した枕傾斜リンク２４が連結してあるのである。
【００２０】
ターンバックル５０は、内部に、互いに逆方向になっているＸネジが切ってある一般的なものであり、これら各Ｘネジに転換リンク２１側のネジ部材２３と枕傾斜リンク２４の下端とを螺着させるものである。そして、これら各ターンバックル５０は、これ全体を回転させることにより、その螺合量を同時に調整できるものである。
【００２１】
【発明の効果】
以上、詳述した通り、本発明においては、
「２本の転換リンク２１・２１によって背当フレーム４０を基台１０に対して方向転換可能に連結するとともに、両転換リンク２１・２１の上端に連結した枕傾斜リンク２４・２４の上端を、背当フレーム４０の上部に傾動可能に設けた枕フレーム３０側に連結して、背当フレーム４０の方向転換に応じて枕の角度が自動的に一定となるようにした転換座席１００において、
転換リンク２１・２１の上端部と、枕傾斜リンク２４・２４の下端とをターンバックル５０・５０によって連結して、これらのターンバックル５０・５０の回転操作によって、各転換リンク２１・２１や枕傾斜リンク２４・２４の残留ひずみや使用による延びを原因とする寸法誤差の吸収と、枕角の調整とを行えるようにしたこと」
にその構成上の特徴があり、これにより、枕フレーム３０や背当フレーム４０等に寸法的誤差があっても、枕角を常に簡単に調整することができて、しかもメンテナンス時の枕角の調整をも簡単に行うことのできる転換座席１００を簡単な構成によって提供することができるのである。
【図面の簡単な説明】
【図１】  本発明に係る転換座席の概略側面図である。
【図２】  同転換座席の部分背面図である。
【符号の説明】
１００  転換座席
１０  基台
１１  支持台
１２  連結軸
１３  ストッパ
１４  傾斜台
２０  転換連動機構
２１  転換リンク
２２  連結部
２３  ネジ部材
２４  枕傾斜リンク
２５  当接部
２６  背当フレーム連結軸
３０  枕フレーム
３１  リンク連結部
４０  背当フレーム
５０  ターンバックル
６０  座布団
６１  載置溝
【図１】
0004358319.tif 000002
【図２】
0004358319.tif 000003